(57)【特許請求の範囲】
【請求項１】
アクセス方式及び周波数軸上において少なくとも１以上の連続したリソースブロックであるリソースブロック群が端末に不連続な状態で割り当てられている、不連続のリソースブロックに関する情報の少なくとも１つを用いて、端末の送信電力の最大値を決定することを特徴とする通信システム。
【請求項２】
前記アクセス方式又は前記不連続のリソースブロックに関する情報に応じて設定されている修正情報を用いて、前記送信電力の最大値を決定することを特徴とする請求項１に記載の通信システム。
【請求項３】
前記不連続のリソースブロックの数に応じて設定されている修正情報を用いて、前記送信電力の最大値を決定することを特徴とする請求項１又は請求項２に記載の通信システム。
【請求項４】
前記不連続のリソースブロック群の最大数に応じた前記修正情報を用いて、前記送信電力の最大値を決定することを特徴とする請求項３に記載の通信システム。
【請求項５】
前記端末がデータ通信に用いるアクセス方式に応じた修正情報を用いて、前記送信電力の最大値を決定することを特徴とする請求項１又は請求項２に記載の通信システム。
【請求項６】
前記決定した最大値を用いて、前記端末の送信電力を決定することを特徴とする請求項１から請求項５のいずれかに記載の通信システム。
【請求項７】
アクセス方式及び周波数軸上において少なくとも１以上の連続したリソースブロックであるリソースブロック群が端末に不連続な状態で割り当てられている、不連続のリソースブロックに関する情報の少なくとも１つを用いて、自装置の送信電力の最大値を決定することを特徴とする端末。
【請求項８】
前記アクセス方式又は前記不連続のリソースブロックに関する情報に応じた修正情報を用いて、前記送信電力の最大値を決定することを特徴とする請求項７に記載の端末。
【請求項９】
前記不連続のリソースブロックの数に応じた修正情報を用いて、前記送信電力の最大値を決定することを特徴とする請求項７又は請求項８に記載の端末。
【請求項１０】
前記不連続のリソースブロック群の最大数に応じた修正情報を用いて、前記送信電力の最大値を決定することを特徴とする請求項９に記載の端末。
【請求項１１】
データ通信に用いるアクセス方式に応じた修正情報を用いて、前記送信電力の最大値を決定することを特徴とする請求項７又は請求項８に記載の端末。
【請求項１２】
基地局が前記アクセス方式又は前記不連続のリソースブロックに関する情報に応じて決定した修正情報を用いて、前記送信電力の最大値を決定することを特徴とする請求項７に記載の端末。
【請求項１３】
前記決定した最大値を用いて、前記端末の送信電力を決定することを特徴とする請求項７から請求項１２のいずれかに記載の端末。
【請求項１４】
アクセス方式及び周波数軸上において少なくとも１以上の連続したリソースブロックであるリソースブロック群が端末に不連続な状態で割り当てられている、不連続のリソースブロックに関する情報の少なくとも１つを用いて決定した端末の送信電力の最大値を、前記端末に通知することを特徴とする基地局。
【請求項１５】
アクセス方式又は周波数軸上において少なくとも１以上の連続したリソースブロックであるリソースブロック群が端末に不連続な状態で割り当てられている、不連続のリソースブロックに関する情報に応じて決定した修正情報を、端末に通知することを特徴とする基地局。
【請求項１６】
前記不連続のリソースブロックの数に応じて決定された修正情報を通知することを特徴とする請求項１５に記載の基地局。
【請求項１７】
前記不連続のリソースブロック群の最大数に応じて決定した修正情報を通知することを特徴とする請求項１６に記載の基地局。
【請求項１８】
前記端末がデータ通信に用いるアクセス方式に応じて決定した修正情報を通知することを特徴とする請求項１５又は請求項１６に記載の基地局。
【請求項１９】
アクセス方式及び周波数軸上において少なくとも１以上の連続したリソースブロックであるリソースブロック群が端末に不連続な状態で割り当てられている、不連続のリソースブロックに関する情報の少なくとも１つを用いて、端末の送信電力の最大値を決定することを特徴とする送信電力決定方法。
【請求項２０】
前記アクセス方式又は前記不連続のリソースブロックに関する情報に応じて設定されている修正情報を用いて、前記送信電力の最大値を決定することを特徴とする請求項１９に記載の送信電力決定方法。
【請求項２１】
周波数軸上において少なくとも１以上の連続したリソースブロックであるリソースブロック群が前記端末に不連続な状態で割り当てられている、不連続のリソースブロックの数に応じて設定されている修正情報を用いて、前記送信電力の最大値を決定することを特徴とする請求項１９又は請求項２０に記載の送信電力決定方法。
【請求項２２】
前記不連続のリソースブロック群の最大数に応じた前記修正情報を用いて、前記送信電力の最大値を決定することを特徴とする請求項２１に記載の送信電力決定方法。
【請求項２３】
前記端末がデータ通信に用いるアクセス方式に応じた修正情報を用いて、前記送信電力の最大値を決定することを特徴とする請求項１９又は請求項２０に記載の送信電力決定方法。
【請求項２４】
前記決定した最大値を用いて、前記端末の送信電力を決定することを特徴とする請求項１９から請求項２３のいずれかに記載の送信電力決定方法。
【請求項２５】
端末のプログラムであって、前記プログラムは前記端末に、アクセス方式及び周波数軸上において少なくとも１以上の連続したリソースブロックであるリソースブロック群が前記端末に不連続な状態で割り当てられている、不連続のリソースブロックに関する情報の少なくとも１つを用いて、自装置の送信電力の最大値を決定するように処理させることを特徴とするプログラム。
【請求項２６】
基地局のプログラムであって、前記プログラムは前記基地局に、アクセス方式及び周波数軸上において少なくとも１以上の連続したリソースブロックであるリソースブロック群が端末に不連続な状態で割り当てられている、不連続のリソースブロックに関する情報の少なくとも１つを用いて決定した端末の送信電力の最大値を、前記端末に通知するように処理させることを特徴とするプログラム。
【請求項２７】
基地局のプログラムであって、前記プログラムは前記基地局に、アクセス方式又は周波数軸上において少なくとも１以上の連続したリソースブロックであるリソースブロック群が端末に不連続な状態で割り当てられている、不連続のリソースブロックに関する情報に応じて決定した修正情報を、端末に通知するように処理させることを特徴とするプログラム。
【発明の詳細な説明】
【技術分野】
【０００１】
本発明は、無線通信に関し、特に、上りリンクの送信電力を制御する技術に関する。
【背景技術】
【０００２】
無線通信の上りリンクの送信において、ＵＥ（user equipment）のベースバンド信号は、ＲＦ信号（radio frequency）に加えられて、増幅器を介して送信される。高いＰＡＰＲ（peak-to-average power ratio）を有する送信信号は、電力増幅器において非線形歪を生じさせてしまう。高いＰＡＰＲにおいて、送信信号の非線形歪を予防するには、電力増幅器に入力するバックオフを増加させる必要がある。
【０００３】
３ＧＰＰ（3rd Generation Partnership Project）のＬＴＥでは、ＣＭ（cubic metric）は、電力量を適切に予測するために用いられている（例えば非特許文献１）。上りリンクでは、ＳＣ‐ＦＤＭＡ（single-carrier frequency division multiple access）は、低いＣＭが適用されている。ＬＴＥにおいて、上りリンクの送信電力は、数１を用いて計算される（例えば非特許文献２）。
【数１】
0005556820.tif 000002
ここで、各パラメータについて下記する。
・PPUSCH(i)は、サブフレームにおける物理上りリンク共有チャネル（Physical uplink shared channel: ＰＵＳＣＨ）の送信電力（dBm）である。
・Pmaxは、ＵＥの電力クラスに応じて定められている最大送信電力である。
・MPUSCHは、割り当てられたリソースブロックの数である。
・PO pusch(j)は、Higher layerで通知される、１dBで決定された領域[-126,24]dBmにおけるj=0,１の8ビットセル特有の規定コンポーネントPO_NOMAL_PUSCCH(j)を構成するパラメータを示す。また、ＲＲＣによって構成される、１dBで決定された領域[-8,7]dBmにおけるj=0,１の4ビット端末特有の規定コンポーネントPO_UE_PUSCH(j)を構成するパラメータを示す。ＰＵＳＣＨを割当許可に対応させて送信するためには、j=0にする。そして、新規パケット通信に関連するＤＣＩフォーマット0のＰＤＣＣＨの受信に対応する通信のためにj=1とする。α∈{0, 0.4, 0.5, 0.6, 0.7, 0.8, 0.9, 1}は、Higher layerによって与えられる３ビットセル特有のパラメータである。
・PLは、ＵＥにおいて算出される下りのパスロスの推定値である。
・ΔTF(TF(i))=10log10(2MPR(i)Ks-1) for KS=1.25であり、0 for KS=0である。ここで、KsはＲＲＣによって与えられるセル特有のパラメータである。
・ｆ（ｉ）は、サブフレームの状態に適応させた現在のＰＵＳＣＨの電力制御を示す。
【０００４】
ＳＣ‐ＦＤＭＡは、連続したＲＢが割り当てられるので、低いＣＭを有することになる。特に、広帯域伝送において、連続したＲＢの割当はマルチダイバシチ効果が一定ではない。非特許文献３のDFT-spread-OFDM with discontinuous resource allocation（multi-carrier FDMA）において、不連続なリソースブロックの割当は、マルチダイバシチ効果を期待して用いられている。ＤＦＴ−Ｓ‐ＯＦＤＭのＣＭは、不連続なスペクトルの数が大きくなるにつれて増える（非特許文献４）。ＤＦＴ‐Ｓ‐ＯＦＤＭのＣＭは、不連続なスペクトラムの数に依存している。
【０００５】
一方、orthogonal frequency division multiplexing（ＯＦＤＭ）もまた不連続なリソースの割当がなされており、高いＣＭを有する。ＳＣ‐ＦＤＭＡとＯＦＤＭ（非特許文献２）とは、高いジオメトリを有するＵＥにはマルチユーザダイバシチを利用するためにＯＦＤＭに適用し、低いジオメトリを有するＵＥには低いＣＭを維持するためにＳＣ‐ＦＤＭＡを適用する。適切なアクセス方式は、チャネル状況に応じて、UEに適したアクセス方式が選択される。ＵＥがアクセス方式をＳＣ‐ＦＤＭＡからＯＦＤＭに変更するときにはＣＭは増加し、ＯＦＤＭからＳＣ‐ＦＤＭＡに変更するとき変化するときにはCMは減少する。
【先行技術文献】
【非特許文献】
【０００６】
【非特許文献１】3GPP, R1-060023, Motorola “Cubic Metric in 3GPP-LTE,” Jan. 2006.
【非特許文献２】3GPP, TG 36.213.820
【非特許文献３】3GPP RAN1 R1-081752, “Proposals on PHY related aspects in LTE Advanced”, NEC.
【発明の開示】
【発明が解決しようとする課題】
【０００７】
上りリンクの送信電力の制御は、アクセス方式が異なるCMを有する場合には、最大送信電力のバックオフを考慮しなければならない。CMが高い場合、電力増幅器における非線形歪を予防するために、最大送信電力からのバックオフを増やさなければならない。可変なCMに固定のバックオフが使用される場合、バックオフが大きすぎると電力効率を減らさなければならず、送信能力を低くしなければならない。一方、バックオフが少なすぎると、リンクパフォーマンスの低下につながる。
【０００８】
そこで、本発明が解決しようとする課題は、各ＵＥ（User Equipment）に適した最大送信電力を設定することができる技術を提供することにある。
【課題を解決するための手段】
【０００９】
上記課題を解決する本発明は、通信システムであって、アクセス方式及び通信制御の内容を示す制御情報の少なくとも１つを用いて、端末の送信電力の最大値を決定することを特徴とする。
【００１０】
上記課題を解決する本発明は、端末であって、アクセス方式及び通信制御の内容を示す制御情報の少なくとも１つを用いて、自装置の送信電力の最大値を決定することを特徴とする。
【００１１】
上記課題を解決する本発明は、基地局であって、アクセス方式及び通信制御の内容を示す制御情報の少なくとも１つを用いて決定した端末の送信電力の最大値を、前記端末に通知することを特徴とする。
【００１２】
上記課題を解決する本発明は、基地局であって、アクセス方式又は通信制御の内容を示す制御情報に応じて決定した修正情報を、前記端末に通知することを特徴とする。
【００１３】
上記課題を解決する本発明は、送信電力決定方法であって、アクセス方式及び通信制御の内容を示す制御情報の少なくとも１つを用いて、端末の送信電力の最大値を決定することを特徴とする。
【００１４】
上記課題を解決する本発明は、端末のプログラムであって、前記プログラムは前記端末に、アクセス方式及び通信制御の内容を示す制御情報の少なくとも１つを用いて、自装置の送信電力の最大値を決定するように処理させることを特徴とする。
【００１５】
上記課題を解決する本発明は、基地局のプログラムであって、前記プログラムは前記基地局に、アクセス方式及び通信制御の内容を示す制御情報の少なくとも１つを用いて決定した端末の送信電力の最大値を、前記端末に通知するように処理させることを特徴とする。
【００１６】
上記課題を解決する本発明は、基地局のプログラムであって、前記プログラムは前記基地局に、アクセス方式又は通信制御の内容を示す制御情報に応じて決定した修正情報を、前記端末に通知するように処理させることを特徴とする。
【発明の効果】
【００１７】
本発明によると、各UEに適した最大送信電力を設定することができる。
【図面の簡単な説明】
【００１８】
【図１】図１は、本発明のブロック図の一例である。
【図２】図２は、第１の実施の形態の動作を説明するためのフロー図である。
【図３】図３は、ＳＤを説明するための図である。
【図４】図４は、テーブルの一例である。
【図５】図５は、テーブルの一例である。
【図６】図６は、テーブルの一例である。
【図７】図７は、第２の実施の形態の動作を説明するためのフロー図である。
【符号の説明】
【００１９】
100   無線通信システム
110   ＵＥ (user equipment)
111   リファレンス信号送信部
112   データ送信部
113   送信電力制御部
114   電力増幅器
115   アンテナ
116   受信部
120   ＮｏｄｅＢ
121   リファレンス信号受信部
122   データ受信部
123   スケジューラ
124   アンテナ
125   送信部
【発明を実施するための最良の形態】
【００２０】
本発明の特徴を説明するために、以下において、具体的に述べる。
【００２１】
（第１の実施の形態）
本発明における第１の実施の形態について図面を参照して説明する。
【００２２】
まず、本実施の形態の構成について説明する。図１は、本発明における無線通信システム１００の概略図である。無線通信システム１００は、ＵＥ(Ｕｓｅｒ  Ｅｑｕｉｐｍｅｎｔ）１１０と、ＮｏｄｅＢ１２０とを有する。
【００２３】
ＵＥ１１０は、リファレンス信号送信部１１１、データ送信部１１２、送信電力制御部１１３、増幅器１１４、アンテナ１１５、及び受信部１１６を有する。
【００２４】
リファレンス信号送信部１１１は、リファレンス信号を生成し、アンテナ１１５を介してＮｏｄｅＢ１２０に送信する。
【００２５】
データ送信部１１２は、実データを生成し、アンテナ１１５を介してＮｏｄｅＢ１２０に送信する。
【００２６】
送信電力制御部１１３は、パラメータとバックオフ（ＭＰＲ: Maximum Power Reduction）の量とが対応付けられたテーブルを保持している。送信電力制御部１１３は、ＵＥ１１０とＮｏｄｅＢとの間の通信制御の内容を示す制御情報に示されているパラメータに対応付けられているバックオフをテーブルから読み出す。次に、送信電力制御部１１３は、読み出したバックオフの量分を規定最大送信電力量から減算する。この計算結果を上りリンクの送信電力として設定する。規定最大送信電力は、例えば、工場出荷時等によりＵＥの能力等に応じて予め定められている。更に、テーブルは、送信電力制御部１１３が保持していない構成でも良く、ＵＥ１１０内に記憶されていれば良い。
【００２７】
増幅器１１４は、送信電力制御部１１３が設定した最大送信電力以下の値になるように、送信電力を調節する。
【００２８】
受信部１１６は、ＮｏｄｅＢ１２０から送信される各種データを受信する。
【００２９】
ＮｏｄｅＢ１２０は、基地局である。ＮｏｄｅＢ１２０は、リファレンス信号受信部１２１、データ受信部１２２、スケジューラ１２３、及びアンテナ１２４を有する。
【００３０】
リファレンス信号受信部１２１は、リファレンス信号送信部１１１が生成したリファレンス信号を受信する。そして、受信したファレンス信号から上りリンクにおける全リソースブロックのＣＱＩ（Channel quality indicator）を測定する。
【００３１】
データ受信部１２２は、データ送信部１１２が生成した実データを受信する。
【００３２】
スケジューラ１２３は、リファレンス信号受信部１２１が測定したＣＱＩに基づいて、伝搬路依存の周波数スケジューリング、即ちリソースブロックをＵＥ１１０に割り当てる。そして、スケジューリングの結果に従って、ＰＤＣＣＨ(Physical Down Link Control Channel)又はＰＤＳＣＨ(Physical Down link Shared Channel)の割当情報をアンテナ１２４を介してＵＥ１１０に送信する。
【００３３】
続いて、第１の実施の形態の動作について図２のフローチャートを用いて説明する。尚、以下の説明では、既に、上りリンクのＣＱＩがＵＥ１１０からＮｏｄｅＢに通知されているものとして説明する。
【００３４】
ＮｏｄｅＢ１２０のスケジューラ１２３は、ＵＥ１１０から通知された上りリンクのＣＱＩを用いてリソースを割り当て、割当情報を生成する（ステップ２０１）。割当情報は、アンテナ１２４を介して送信される。
【００３５】
ＵＥ１１０の送信電力制御部１１３は、受信部１１６が受信した割当情報からパラメータを抽出し、このパラメータに対応付けられているバックオフをテーブルから読みだす（ステップ２０２）。更に、送信電力制御部１１３は、読み出したバックオフの量分を規定最大送信電力量から減算し、この計算結果を最大送信電力として設定する（ステップ２０３）。
【００３６】
増幅器１１４は、送信電力制御部１１３が設定した最大送信電力以下の値になるように、送信電力を調節する（ステップ２０４）。
【００３７】
リファレンス信号送信部１１１またはデータ送信部１１２で生成された各種データは、調節された送信電力でＮｏｄｅＢ１２０に送信される（ステップ２０５）。
【００３８】
尚、上記説明では、ＵＥ１１０がテーブルを保持している場合、ＮｏｄｅＢ１２０がＵＥ１１０に割当情報を通知するための情報を含んだＰＤＣＣＨ、ＰＢＣＨ(Physical broadcast channel)またはＰＤＳＣＨ（Physical Downlink Shared Channel)を用いても良い。ＰＤＳＣＨを介して送信される情報は、Ｈｉｇｈｅｒ ｌａｙｅｒにて送信される。また、テーブルに記されているバックオフは、減らす量を示している場合を用いて説明したが、規定最大送信電力量に対する比率等の最大送信電力の修正情報であっても良い。また、上記説明ではパラメータがＵＥ１１０に通知される構成を用いて説明したが、ＮｏｄｅＢ１２０がテーブルを保持し、パラメータに対応付けられているバックオフを読み出して、読み出したバックオフをＵＥ１１０に通知する構成であってもよい。
【００３９】
（実施例１）
続いて、本実施の形態における実施例１を説明する。本実施例では、パラメータが、不連続なリソースブロック（Discontinuous Spectrums）の数（ＳＤ）である場合を用いて説明する。不連続のResource Block（ＲＢ)とは、周波数軸上において、少なくとも１以上の連続したリソースブロックであるリソースブロック群が同一ＵＥに不連続な状態で割り当てられる数を示す。例えば、図３に示すように、ＳＣ−ＦＤＭＡ（Single Carrier-Frequency Division Multiplexing Access）のリソースブロックマッピングでは、１ＴＴＩ（Transmit Time Interval）内において各ＵＥは、周波数軸上で連続するリソースブロックが割り当てられることになり、どのＵＥもＳＤは“１”となる。一方、ＯＦＤＭ（Orthogonal Frequency Division Multiplex）のリソースブロックマッピングでは、周波数軸上において不連続なリソースブロックが少なくとも１以上割り当てられることになる。従って、ＵＥ−Ａの場合はＳＤが“４”となり、ＵＥ‐Ｂの場合はＳＤが“２”となり、ＵＳ‐Ｃ及びＵＳ‐Ｄの場合はSDが“１”となる。
【００４０】
図４は、本実施例で用いられるテーブルの一例である。このテーブルは、不連続のリソ−スブロックの数（ＳＤ）とバックオフの値（ＢＯ）とが対応付けられている。本実施例の動作を図４に示されているテーブルを用いて説明する。
【００４１】
ＮｏｄｅＢ１２０のスケジューラ１２３は、ＵＥ１１０から通知された上りリンクのＣＱＩを用いてリソースを割り当て、割当情報（scheduling information in UL Grant）を生成する。割当情報は、アンテナ１２４を介してＰＤＣＣＨで送信される。ここで、ＵＥ１１０に割り当てられたＳＤが“２”だったとする。
【００４２】
ＵＥ１１０の送信電力制御部１１３は、受信部１１６が受信した割当情報から自装置に割り当てられた、不連続なリソースブロックの数“２”を認識する。そして、この不連続なリソースブロックの数“２”に対応付けられているバックオフをテーブルから読みだす。ここで、“1.3”が読み出されたとする。更に、送信電力制御部１１３は、読み出したバックオフの量“1.3”を規定最大送信電力量から減算し、この計算結果を最大送信電力として設定する。
【００４３】
増幅器１１４は、送信電力制御部１１３が設定した最大送信電力以下の値になるように、送信電力を調節する。
【００４４】
リファレンス信号送信部１１１またはデータ送信部１１２で生成された各種データは、調節された送信電力でＮｏｄｅＢ１２０に送信される。尚、ＳＤは、ＰＤＣＣＨで通知しても良い。
【００４５】
本実施例のように構成すると、ＵＥに割り当てられたリソースブロック群の数に応じて最大送信電力を変更しているので、通信環境又はＵＥの能力等に適した最大送信電力を設定することができる。また、ＳＤを割当情報から認識する構成の場合、余分な情報を送信する必要が無い。ＳＤに関連した情報がPDSCHまたはＰＤＣＣＨで送信される場合、各ＵＥの制御は、その情報が各ＵＥに送信できる。同報情報の場合と比較すると、ＳＤに関連した情報は、短い間隔で送信することができる。
【００４６】
（実施例２）
続いて、本実施の形態における実施例２を説明する。本実施例では、パラメータが、不連続なリソースブロックの数の最大値（ＭａｘＳＤ）である場合を用いて説明する。この不連続なリソースブロックの数の最大値は、ＮｏｄｅＢ毎、又はＵＥ毎に定められている。スケジューラ１２３は、このＭａｘＳの値以内になるようにＵＥ１１０にリソースブロックを割り当てる。また、ＮｏｄｅＢのスケジューラ１２３は、不連続なリソースブロックの数の最大値を、UE１１０又はＮｏｄｅＢ１２０の通信環境に関する情報、通信環境に影響を与える情報、ＵＥ１１０の特徴、ＵＥの地球上の位置、又はＭＣＳ(Modulation and Coding Scheme)に応じて設定してもよい。地球上とは、例えば、ＳＩＮＲ(Signal-to-Interference plus Noise Ratio)の平均、フェージングや影による影響を除外したＵＥからＮｏｄｅＢまでの距離関数によって示される。不連続なリソースブロックの数の最大値は、ＰＤＣＣＨ(Physical Downlink Control Channel)を通して動的に、又はＰＤＳＣＨ(Physical Downlink Data Channel)又はＰＢＣＨ(Physical Broadcast Channel)を通して半動的にＵＥ１１０に通知される。ここで動的に通知されるとは、フレーム毎(ＴＴＩ‐ｂｙ‐ＴＴＩ)、若しくは、４または８ＴＴＩごとに反動的に通知されることである。
【００４７】
図５は、本実施例で用いられるテーブルの一例である。このテーブルは、不連続のリソ−スブロックの最大数とバックオフとが対応付けられている。本実施例の動作を図５に示されているテーブルを用いて説明する。また、不連続なリソースブロックの数の最大値は、ＮｏｄｅＢのスケジューラ１２３が、ＵＥ１１０又はＮｏｄｅＢ１２０の通信環境に関する情報、通信環境に影響を与える情報、特徴、ＵＥの位置, geometry vehicle、又はＭＣＳ(Modulation and Coding Scheme)に応じて設定する場合を用いて説明する。
【００４８】
ＮｏｄｅＢ１２０のスケジューラ１２３は、ＵＥ１１０又はＮｏｄｅＢ１２０の通信環境に関する情報、通信環境に影響を与える情報、若しくは通信能力に応じて不連続のリソ−スブロックの最大数を設定する。ここで、不連続のリソ−スブロックの最大数が“２”だったとする。また、スケジューラ１２３は、ＵＥ１１０から通知された上りリンクのＣＱＩを用いてリソースを割り当て、割当情報を生成する。不連続のリソ−スブロックの最大数“２”と割当情報が、アンテナ１２４を介してＵＥ１１０に送信される。
【００４９】
ＵＥ１１０の送信電力制御部１１３は、受信部１１６が受信した不連続のリソ−スブロックの最大数“２”に対応付けられているバックオフをテーブルから読みだす。ここで、“1.3”が読み出されたとする。更に、送信電力制御部１１３は、読み出したバックオフの量“1.3”を規定最大送信電力量から減算し、この計算結果を最大送信電力として設定する。
【００５０】
増幅器１１４は、送信電力制御部１１３が設定した最大送信電力以下の値になるように、送信電力を調節する。
【００５１】
リファレンス信号送信部１１１またはデータ送信部１１２で生成された各種データは、調節された送信電力でＮｏｄｅＢ１２０に送信される。
【００５２】
本実施例のように構成すると、ＵＥに割り当てられたリソースブロック群の最大数に応じて最大送信電力を変更しているので、通信環境又はＵＥの能力等に適した最大送信電力を設定することができる。
【００５３】
（実施例３）
続いて、本実施の形態における実施例３を説明する。本実施例では、パラメータが、ＵＥ１１０とＮｏｄｅＢ１２０とのデータ通信で用いられるアクセス方式である場合を用いて説明する。尚、本実施例では、用いられるアクセス方式としてＯＦＤＭおよびＳＣ−ＦＤＭＡの２種類を用いて説明するが、これらに限定されるものではなく、ＤＦＴ-Ｓ-ＯＦＤＭに不連続なリソース割り当てを適用するアクセス方式(Clustered ＤＦＴ-Ｓ-ＯＦＤＭ, Ｎ ｘ ＤＦＴ-Ｓ-ＯＦＤＭなどと呼ばれる)、ＣＤＭＡ、ＭＣ-ＣＤＭＡなどであってもよく、複数種類であってもよい。アクセス方式の組合せは、複数の種類（例えば３以上）の組合せでも使用できる。ＵＥとＮｏｄｅＢとの間で複数種類のアクセス方式でデータ通信が行われる場合、各アクセス方式のバックオフ値、最大のバックオフ値、最少のバックオフ値、または平均バックオフ値が使われる。また、ＵＥ１１０とＮｏｄｅＢ１２０との間で使用されるアクセス方式は、マックスＳＤの場合と同様に、セル特有又はＵＥ特有でありえる。その情報は、アクセス方式のタイプを示しており、通信開始時にＵＥ１１０に対して、higher-layer、ＰＤＣＣＨ、ＰＤＳＣＨまたはＰＢＣＨで通知する。
【００５４】
図６は、本実施例で用いられるテーブルの一例である。このテーブルは、アクセス方式とバックオフとが対応付けられている。本実施例の動作を図６に示されているテーブルを用いて説明する。
【００５５】
ＮｏｄｅＢ１２０のスケジューラ１２３は、UE１１０から通知された上りリンクのＣＱＩを用いてリソースを割り当て、割当情報を生成する。割当情報は、アンテナ１２４を介して送信される。ここで、ＮｏｄｅＢ１２０がＯＦＤＭで通信すると決定したとし、ＵＥ１１０に割り当てられたＳＤが“２”だったとする。
【００５６】
ＵＥ１１０の送信電力制御部１１３は、受信部１１６が受信した割当情報から自装置に割り当てられた、不連続なリソースブロックの数“２”であり、ＯＦＤＭで通信することを認識する。そしてＯＦＤＭに対応付けられているバックオフをテーブルから読みだす。ここで、“2.4”が読み出されたとする。更に、送信電力制御部１１３は、読み出したバックオフの量“2.4”を規定最大送信電力量から減算し、この計算結果を最大送信電力として設定する。
【００５７】
増幅器１１４は、送信電力制御部１１３が設定した最大送信電力以下の値になるように、送信電力を調節する。
【００５８】
リファレンス信号送信部１１１またはデータ送信部１１２で生成された各種データは、調節された送信電力でＮｏｄｅＢ１２０に送信される。
【００５９】
ＮｏｄｅＢ１２０がＳＣ−ＦＤＭＡで通信すると決定したと場合も、同様の動作を行う。
【００６０】
本実施例のように構成すると、アクセス方式に応じて最大送信電力を変更しているので、通信環境等に適した最大送信電力を設定することができる。
【００６１】
（第２の実施の形態）
次に、第２の実施の形態について説明する。上記実施の形態では、ＵＥ１１０が最大送信電力を計算する場合について説明したが、本実施の形態では、ＮｏｄｅＢ１２０が最大送信電力を計算する場合について説明する。尚、上記実施の形態と同様の構成については説明を省略する。
【００６２】
スケジューラ１２３は、パラメータとバックオフの量とが対応付けられたテーブルを保持している。スケジューラ１２３は、リファレンス信号受信部１２１が測定したＣＱＩに基づいて、ＵＥ１１０とＮｏｄｅＢとの間の通信内容を示す制御情報を生成する。また、この制御情報が示すパラメータに対応付けられているバックオフをテーブルから読み出し、読み出したバックオフの量分を規定最大送信電力量から減算する。この計算結果は、制御情報とともに、ＵＥ１１０に対して、ＰＤＣＣＨ、ＰＤＳＣＨ、又はＰＢＣＨを通じて通知される。尚、規定最大送信電力は、例えば初期アクセス時にＵＥ１１０から通知されるＵＥ１１０の能力等に応じて定められる。また、テーブルは、送信電力制御部１１３が保持していない構成でも良く、ＵＥ１１０内に記憶されていれば良い。
【００６３】
ＵＥ１１０の送信電力制御部１１３は、受信部１１６が制御情報と共に受信した最大送信電力以下になりように上りリンクの送信電力を設定する。
【００６４】
続いて、第２の実施の形態の動作について図７のフローチャートを用いて説明する。尚、以下の説明では、既に、上りリンクのＣＱＩがＵＥ１１０からＮｏｄｅＢに通知されているものとして説明する。
【００６５】
ＮｏｄｅＢ１２０のスケジューラ１２３は、ＵＥ１１０から通知された上りリンクのＣＱＩを用いてリソースを割り当て、制御情報を生成する（ステップ７０１）。また、スケジューラ１２３は、この制御情報が示すパラメータに対応付けられているバックオフをテーブルから読み出し、読み出したバックオフの量分を規定最大送信電力量から減算して算出した最大送信電力を制御情報と共にＵＥ１１０に送信する（ステップ７０２）。
【００６６】
ＵＥ１１０の送信電力制御部１１３は、受信部１１６が受信した最大送信電力を読みだし、上りリンクの最大送信電力として設定する（ステップ７０３）。
【００６７】
増幅器１１４は、送信電力制御部１１３が設定した最大送信電力以下の値になるように、送信電力を調節する（ステップ７０４）。
【００６８】
リファレンス信号送信部１１１またはデータ送信部１１２で生成された各種データは、調節された送信電力でＮｏｄｅＢ１２０に送信される（ステップ７０５）。
【００６９】
（実施例４）
続いて、本実施の形態における実施例４を説明する。本実施例では、パラメータが、不連続なリソースブロック（Discontinuous Spectrums）の数（ＳＤ）である場合を用いて説明する。本実施例で用いられるテーブルは、上記第１の実施の形態で説明した実施例１と同じである。本実施例の動作を図４に示されているテーブルを用いて説明する。
【００７０】
ＮｏｄｅＢ１２０のスケジューラ１２３は、ＵＥ１１０から通知された上りリンクのＣＱＩを用いてリソースを割り当て、割当情報を生成する。ここで、ＵＥ１１０に割り当てられたＳＤが“２”だったとする。スケジューラ１２３は、ＵＥ１１０に割り当てられたＳＤ“２”に対応付けられているバックオフをテーブルから読み出す。ここで、“1.3”が読み出されたとする。読み出したバックオフの量分“1.3”を規定最大送信電力量から減算して算出した最大送信電力を割当情報と共にＵＥ１１０に送信する。
【００７１】
ＵＥ１１０の送信電力制御部１１３は、受信部１１６が受信した最大送信電力を読みだし、上りリンクの最大送信電力として設定する。
【００７２】
増幅器１１４は、送信電力制御部１１３が設定した最大送信電力以下の値になるように、送信電力を調節する。
【００７３】
リファレンス信号送信部１１１またはデータ送信部１１２で生成された各種データは、調節された送信電力でＮｏｄｅＢ１２０に送信される。
【００７４】
（実施例５）
続いて、本実施の形態における実施例５を説明する。本実施例では、パラメータが、不連続なリソースブロックの数の最大値（ＭａｘＳＤ）である場合を用いて説明する。本実施例で用いられるテーブルは、上記第１の実施の形態で説明した実施例２と同じである。本実施例の動作を図５に示されているテーブルを用いて説明する。
【００７５】
ＮｏｄｅＢ１２０のスケジューラ１２３は、ＵＥ１１０又はＮｏｄｅＢ１２０の通信環境に関する情報、通信環境に影響を与える情報、若しくは通信能力に応じて不連続のリソ−スブロックの最大数を設定する。ここで、不連続のリソ−スブロックの最大数が“２”だったとする。スケジューラ１２３は、ＭａｘＳＤ“２”に対応付けられているバックオフをテーブルから読み出す。ここで、“1.3”が読み出される。また、スケジューラ１２３は、ＵＥ１１０から通知された上りリンクのＣＱＩを用いてリソースを割り当て、割当情報を生成する。不連続のリソ−スブロックの最大数“２”と割当情報が、アンテナ１２４を介してＵＥ１１０に送信される。
【００７６】
ＵＥ１１０の送信電力制御部１１３は、受信部１１６が受信した不連続のリソ−スブロックの最大数“２”に対応付けられているバックオフをテーブルから読みだす。ここで、“1.3”が読み出される。読み出したバックオフの量分“1.3”を規定最大送信電力量から減算して算出した最大送信電力を割当情報と共にＵＥ１１０に送信する。
【００７７】
ＵＥ１１０の送信電力制御部１１３は、受信部１１６が受信した最大送信電力を読みだし、上りリンクの最大送信電力として設定する。
【００７８】
増幅器１１４は、送信電力制御部１１３が設定した最大送信電力以下の値になるように、送信電力を調節する。
【００７９】
リファレンス信号送信部１１１またはデータ送信部１１２で生成された各種データは、調節された送信電力でＮｏｄｅＢ１２０に送信される。
【００８０】
（実施例６）
続いて、本実施の形態における実施例６を説明する。本実施例では、パラメータが、ＵＥ１１０とＮｏｄｅＢ１２０との通信で用いられるアクセス方式である場合を用いて説明する。本実施例で用いられるテーブルは、上記第１の実施の形態で説明した実施例３と同じある。本実施例の動作を図６に示されているテーブルを用いて説明する。
【００８１】
ＮｏｄｅＢ１２０のスケジューラ１２３は、ＵＥ１１０から通知された上りリンクのＣＱＩを用いてリソースを割り当て、割当情報を生成する。割当情報は、アンテナ１２４を介して送信される。ここで、ＮｏｄｅＢ１２０がＯＦＤＭで通信すると決定したとする。スケジューラ１２３は、ＯＦＤＭに対応付けられているバックオフをテーブルから読み出す。ここで、“2.4”が読み出される。読み出したバックオフの量分“2.4”を規定最大送信電力量から減算して算出した最大送信電力を割当情報と共にＵＥ１１０に送信する。
【００８２】
ＵＥ１１０の送信電力制御部１１３は、受信部１１６が受信した最大送信電力を読みだし、上りリンクの最大送信電力として設定する。
【００８３】
増幅器１１４は、送信電力制御部１１３が設定した最大送信電力以下の値になるように、送信電力を調節する。
【００８４】
リファレンス信号送信部１１１またはデータ送信部１１２で生成された各種データは、調節された送信電力でＮｏｄｅＢ１２０に送信される。
【００８５】
本実施の形態のように構成すると、通信環境又はＵＥの能力等に適した最大送信電力を設定することができる。
【００８６】
（第３の実施の形態）
上記第１の実施の形態では、規定最大送信電力とバックオフとを用いて上りリンクの最大送信電力をＵＥ１１０が算出して設定する構成を用いて説明した。本実施の形態では、新たに設定された最大送信電力を用いて上りリンクの送信電力を決定する構成を用いて説明する。尚、上記実施の形態と同様の構成については、説明を省略する。
【００８７】
送信電力制御部１１３は、パラメータとバックオフの量とが対応付けられたテーブルを保持している。送信電力制御部１１３は、ＮｏｄｅＢ１２０から送信される制御情報に示されているパラメータに対応付けられているバックオフをテーブルから読み出す。そして、読み出したバックオフを数２に入力して送信電力を算出する。
【数２】
0005556820.tif 000003
ここで、各パラメータについて下記する。
・PPUSCH(i)は、サブフレームにおける物理上りリンク共有チャネル（Physical uplink shared channel: ＰＵＳＣＨ）の送信電力（dBm）である。
・Pmaxは、ＵＥの電力クラスに応じて定められている最大送信電力である。
・BOは、最大送信電力からのバックオフ値である。
・MPUSCHは、割り当てられたリソースブロックの数である。
・PO pusch(j)は、Higher layerで通知される、１dBで決定された領域[-126,24]dBmにおけるj=0,１の8ビットセル特有の規定コンポーネントPO_NOMAL_PUSCCH(j)を構成するパラメータを示す。また、ＲＲＣによって構成される、１dBで決定された領域[-8,7]dBmにおけるj=0,１の4ビット端末特有の規定コンポーネントPO_UE_PUSCH(j)を構成するパラメータを示す。PUSCHを割当許可に対応させて送信するためには、j=0にする。そして、新規パケット通信に関連するＤＣＩフォーマット0のPDCCHの受信に対応する通信のためにj=1とする。α∈{0, 0.4, 0.5, 0.6, 0.7, 0.8, 0.9, 1}は、Higher layerによって与えられる３ビットセル特有のパラメータである。
・PLは、ＵＥにおいて算出される下りのパスロスの推定値である。
・ΔTF(TF(i))=10log10(2MPR(i)Ks-1) for KS=1.25であり、0 for KS=0である。ここで、KsはＲＲＣによって与えられるセル特有のパラメータである。
・ｆ（ｉ）は、サブフレームの状態に適応させた現在のＰＵＳＣＨの電力制御を示す。
【００８８】
本実施の形態の動作は、送信電力を算出すること以外は第１の実施の形態と同じであるため、説明を省略する。また、本実施の形態の実施例も、送信電力を算出すること以外は第１の実施の形態の各実施例と同じであるため、説明を省略する。
【００８９】
本実施の形態のように構成すると、UEは、通信環境又は自装置の能力等に適した送信電力で通信することができる。
【００９０】
（第４の実施の形態）
上記第３の実施の形態では、ＮｏｄｅＢ１２０がバックオフに関する情報をＵＥ１１０に送信する構成を用いて説明した。本実施の形態では、ＮｏｄｅＢ１２０が最大送信電力を送信する構成を用いて説明する。尚、上記第３の実施の形態と同様の構成については、説明を省略する。
【００９１】
スケジューラ１２３は、パラメータとバックオフの量とが対応付けられたテーブルを保持している。スケジューラ１２３は、リファレンス信号受信部１２１が測定したＣＱＩに基づいて、リソースブロックをＵＥ１１０に割り当て制御情報を生成する。また、この制御情報が示すパラメータに対応付けられているバックオフをテーブルから読み出し、読み出したバックオフの量分を規定最大送信電力量から減算して、新最大送信電力P’Maxを計算する。この計算結果は、制御情報とともに、ＰＤＣＣＨ、ＰＤＳＣＨ、又はＰＢＣＨを通じてＵＥ１１０に通知される。
【００９２】
尚、最大送信電力は、例えばＮｏｄｅＢ１２０の能力等に応じて予め定められている。また、テーブルは、送信電力制御部１１３が保持していない構成でも良く、ＵＥ１１０内に記憶されていれば良い。
【００９３】
ＵＥ１１０の送信電力制御部１１３は、受信部１１６が制御情報と共に受信した新最大送信電力P’Maxを数３に入力して送信電力を算出する。
【数３】
0005556820.tif 000004
ここで、各パラメータについて下記する。
・PPUSCH(i)は、サブフレームにおける物理上りリンク共有チャネル（Physical uplink shared channel: ＰＵＳＣＨ）の送信電力（dBm）である。
・P’maxは、規定最大送信電力からバックオフＢＯを引いた結果である新規の最大送信電力である。
・MPUSCHは、割り当てられたリソースブロックの数である。
・PO pusch(j)は、Higher layerで通知される、１dBで決定された領域[-126,24]dBmにおけるj=0,１の8ビットセル特有の規定コンポーネントPO_NOMAL_PUSCCH(j)を構成するパラメータを示す。また、ＲＲＣによって構成される、１dBで決定された領域[-8,7]dBmにおけるj=0,１の4ビット端末特有の規定コンポーネントPO_UE_PUSCH(j)を構成するパラメータを示す。ＰＵＳＣＨを割当許可に対応させて送信するためには、j=0にする。そして、新規パケット通信に関連するＤＣＩフォーマット0のＰＤＣＣＨの受信に対応する通信のためにj=1とする。α∈{0, 0.4, 0.5, 0.6, 0.7, 0.8, 0.9, 1}は、Higher layerによって与えられる３ビットセル特有のパラメータである。
・PLは、UEにおいて算出される下りのパスロスの推定値である。
・ΔTF(TF(i))=10log10(2MPR(i)Ks-1) for KS=1.25であり、0 for KS=0である。ここで、KsはＲＲＣによって与えられるセル特有のパラメータである。
・ｆ（ｉ）は、サブフレームの状態に適応させた現在のＰＵＳＣＨの電力制御を示す。
【００９４】
本実施の形態の動作は、送信電力の算出方法が異なる以外は第３の実施の形態と同じであるため、説明を省略する。また、本実施の形態の実施例も、送信電力の算出方法が異なる以外は第３の実施の形態の各実施例と同じであるため、説明を省略する。
【００９５】
（第５の実施の形態）
次に、第５の実施の形態について説明する。上記第３及び第４の実施の形態では、ＵＥ１１０が送信電力を計算する場合について説明した。本実施の形態では、ＮｏｄｅＢ１２０が送信電力を計算する構成となる。尚、送信電力の計算方法は、上記第３及び第４の実施の形態と同じであり、各構成及び動作は第２の実施の形態と同じであるため、詳細な説明及び実施例の説明を省略する。
【００９６】
本実施の形態のように構成すると、ＵＥは、通信環境又は自装置の能力等に適した送信電力で通信することができる。
【００９７】
（第６の実施の形態）
上述した本発明のＵＥ及びＮｏｄｅＢは、上記説明からも明らかなように、ハードウェアで構成することも可能であるが、コンピュータプログラムにより実現することも可能である。プログラムメモリに格納されているプログラムで動作するプロセッサによって、上述した実施の形態と同様の機能、動作を実現させる。尚、上述した実施の形態の一部の機能をコンピュータプログラムにより実現することも可能である。
【図１】
0005556820.tif 000005
【図２】
0005556820.tif 000006
【図３】
0005556820.tif 000007
【図４】
0005556820.tif 000008
【図５】
0005556820.tif 000009
【図６】
0005556820.tif 000010
【図７】
0005556820.tif 000011